(57)【要約】【課題】  急な階段等においても搬送可能な利便性の高い担架を提供する。【解決手段】  略矩形の布状体２と、この布状体２の側部に横方向に引っ張り支持可能に取付けられた複数の取っ手３と、前記布状体２の四隅を含む側部に取付けられた複数の環状部４と、これら環状部４内に長手方向に移動可能な状態で挿通された環状ベルト５とを備える。【選択図】図３
2019084135.tif 000002
【特許請求の範囲】
【請求項１】
略矩形の布状体と、
この布状体の側部に横方向に引っ張り支持可能に取付けられた複数の取っ手と、
前記布状体の四隅を含む側部に取付けられた複数の環状部と、
これら環状部内に長手方向に移動可能な状態で挿通された環状ベルトとを備えることを特徴とする担架。
【請求項２】
前記布状体はその長手方向の一端側を折り返した状態で保持する折り返し保持部を備え、この布状体の折り返し部分に挿入される枕体を備える請求項１に記載の担架。
【請求項３】
前記折り返し保持部は布状体の重ね合わせる部分に設けた面ファスナである請求項２に記載の担架。
【請求項４】
前記布状体の重ね合わせ部及びこの重ね合わせ部に設けた開口部からなるポケット部と、このポケット部に挿入される補強板とを備える請求項１〜請求項３の何れかに記載の担架 。
【請求項５】
前記環状ベルトはその長さを調節可能とする止め具を備える請求項１〜請求項４の何れかに記載の担架。
【発明の詳細な説明】
【技術分野】
【０００１】
本発明は、病人や負傷者などの要救護者を搬送する場合に用いられる担架に関する。
【背景技術】
【０００２】
従来より、要救護者を搬送する器具としてストレッチャーや担架を用いることがある。一般的にストレッチャーは要救護者を載せることができる程度の大きさを有する板状体に、持ち運びを容易とする取っ手または車輪付きの台を設けたものである。工場、工事現場、会館などの人が集まる場所には、急病人や負傷者などの要救護者が発生する可能性があるため、ストレッチャーや担架を常備していることが望ましい。
【０００３】
大がかりなストレッチャーは広い保管場所を必要とするために、小型化が望まれる。特許文献１のような担架兼用テーブルを用いることにより、日常的にはテーブルとして用いているものを、緊急時には担架として用いて要救護者を搬送することができる。しかしながら、平板状の板状体に要救護者を乗せた状態で板状体を傾けると、要救護者が板状体を滑り落ちる可能性があるため、階段などの昇降部がある通路を搬送することはできなかった。
【０００４】
他方、要救護者を搬送するためには、丈夫な二本の棒体を平行に配置した状態で、その間に麻布などを張った持ち手部分を備える器具からなる担架を用いることがある。しかしながら、この担架に用いられる棒体は、狭い通路や階段における搬送を難しくする。
【０００５】
図７は特許文献２に示される簡易担架９０の例を示す図であり、この簡易担架９０は、四隅部と長さ方向の略中央部で両側縁の位置にそれぞれ取っ手ベルト９１を設けた矩形状シート９２の裏面側で長さ方向の略中央部の位置に、その両端が両側縁の取っ手ベルト９１に達する補強ベルトを設けたものであり、要救護者９３の少なくとも両脇において２人以上の救護者９４が各取っ手ベルト９１、９１をそれぞれ握って持ち上げることにより、要救護者９３を吊り下げて包み込むように搬送することができるので、従来の板状体を用いたものに比べて廊下や階段などの狭い場所でも通過が容易となる。
【先行技術文献】
【特許文献】
【０００６】
【特許文献１】特開２０１５−６６２０４号公報
【特許文献２】特開２００５−２７９１８４号公報
【発明の概要】
【発明が解決しようとする課題】
【０００７】
しかしながら、従来の簡易担架では少なくとも２人の救護者９４が要救護者９３の両側に立って取っ手ベルト９１を持ち上げる必要があるので、階段のように急激な上下移動がある狭い通路における搬送を容易に行なうことはできなかった。
【０００８】
本発明は上述の事柄を考慮に入れてなされたものであり、急な階段等においても搬送可能な利便性の高い担架を提供することを目的とする。
【課題を解決するための手段】
【０００９】
本発明は、略矩形の布状体と、この布状体の側部に横方向に引っ張り支持可能に取付けられた複数の取っ手と、前記布状体の四隅を含む側部に取付けられた複数の環状部と、これら環状部内に長手方向に移動可能な状態で挿通された環状ベルトとを備えることを特徴とする担架を提供する（請求項１）。
【００１０】
上記構成の担架を用いて、布状体の上に要救護者を載せた状態で、要救護者を中心に相対して立つ救護者が環状ベルトを肩から斜めにかけることにより、環状ベルトおよび環状部を介して布状体を引き上げることができるので、要救護者を布状体によって包み込むように支持して搬送することができる。このとき、救護者の腕にかかる負荷を小さくでき、担架から完全に手を離すことも可能であるので、要救護者に対する処置を施すことも、通路状の障害物を取り除くことも可能である。また、環状ベルトによって要救護者を持ち上げている状態で、さらに、環状部とは別途設けられた取っ手を救護者が任意の方向に引っ張ることにより、担架がふらつくことを防止でき、それだけ、安定した搬送を行なうことができる。
【００１１】
環状部が布状体の四隅を含む位置に取付けられているので、環状ベルトと環状部を用いて布状体の四隅を支持でき、要救護者の頭部あるいは脚部が垂れ下がることが無い。つまり、従来のように救護者が要救護者の両側部に立って取っ手を持ち上げるだけでは、重量物を搬送するときに手を広げられる角度に限界があるため布状体を十分に広げられないため頭部から腰部あたりまでしか保持できないが、前記環状ベルトおよび環状部と取っ手を用いてそれぞれを適切な方向に引っ張ることにより、布状体をほぼ水平を保った状態で要救護者を搬送することができる。
【００１２】
環状ベルトは環状部内に長手方向に移動可能な状態で挿通されているので、各救護者によって持ち上げられる環状ベルトにかかる張力が、各環状部に均等にかかるため、階段などの上下方向の移動の際にも、従来の板状体を用いた担架に比べて布状体の水平を保ちやすくなり、それだけ安定した搬送を行なうことができる。
【００１３】
平坦地において搬送する場合は、要救護者の左右両側（両脇）に立つ救護者が環状ベルトを使って抱えるような搬送を行なうことが好ましい。このとき、布状体の短手方向にベルトの余剰部分が短くなり、布状体が要救護者を圧迫するが、両側の救護者が取っ手を逆方向に広げる力を加えることにより要救護者に不要な力をかけないようにすることができる。
【００１４】
他方、救護者が要救護者の前後方向（頭側と足側）の両側に立って環状ベルトを持ち上げるときには、短手方向に余剰部分が短くなるが、短手方向の両端の取っ手を左右方向に広げる力を加えることにより要救護者に不要な力をかけないようにすることができる。なお、布状体の上に要救護者を乗せた状態で、布状体の長手方向両側すなわち要救護者の前後に位置する２人の救護者が、環状ベルトを肩から斜めにかけて持ち上げることにより、より狭い通路や階段における搬送を容易とすることができる。
【００１５】
さらに、要救護者の前後に立つ救護者が環状ベルトおよび環状部によって布状体を支持している状態において、別途形成されている取っ手を別の救護者によって持ち上げて、例えば、前後左右の合計４人の救護者によって分担して搬送してもよい。
【００１６】
つまり、本発明の担架は、環状ベルトにかける張力によって布状体を持ち上げて要救護者を持ち上げることを可能とするものであるから、従来のように板状体や棒体のような大型の部材を不要としている。従って、使用しないときには小さく折りたたむことが可能であり、折りたたんだ状態では省スペースであるから、人が集まる場所における非常用の担架として常備させることが容易となる。
【００１７】
前記布状体とは布のように可撓性を有する面によって要救護者を包み込むことができるものであることを意味し、その素材は布に限られず、樹脂シートであっても網であってもプレス加工による開口部が多数形成された布やシートであってもよい。しかしながら、布状体は熱に強く丈夫な布であることが好ましく、最適は帆布である。また、布状体の長さは一般的な成人の身長を覆う１８００ｍｍ程度であることが好ましく、その幅は５００〜６００ｍｍ程度であることが好ましい。
【００１８】
前記取っ手は布状体の側部に横方向に引っ張り支持可能に取付けられた取っ手であれば任意の構成が考えられるが、例えば丈夫な帯を布状体に縫合することにより形成できる。なお、最適にはスリングベルトの材料として知られるナイロン、ポリエステル、ポリプロピレンなどの合成樹脂繊維からなるベルト材を略Ｕ字状に折り返すことにより、握り部分を形成するように布状体に縫合されたものであることが好ましい。
【００１９】
取っ手の数は布状体の側部に多数設ければ設けるほど布状体を安定して支持することができる。この取っ手の数は、少なくとも布状体の前後両端の左右にそれぞれ設けられた４つに加えて、長手方向の中間部において左右にそれぞれ１対（前後両端を含めて合計６つ）設けてあることにより、要救護者の体重が最もかかる中間部において布状体を引っ張り支持することができる。
【００２０】
加えて、布状体の中間部の左右にそれぞれ２対（前後両端を含めて合計８つ）の取っ手をそれぞれ間隔を開けて設けた場合には、要救護者の両側部にそれぞれ２人（合計４人）の救護者が立って両手に取っ手を持って要救護者を支持することができるので、各救護者にかかる負荷を小さくすることができる。
【００２１】
前記環状部は固定することなくフリーな状態で前記環状ベルトを挿通するものであり、布状体に例えば縫合によって取付けられる環状部分を有するものである。すなわち、連結環、Ｏ環、Ｄ環などの丈夫な金属または樹脂からなる環状部材を布状体に縫合して形成したものなどが考えられる。しかしながら、環状部は最適はスリングベルトの材料として知られるナイロン、ポリエステル、ポリプロピレンなどの合成樹脂繊維からなる帯を折り畳んだ状態で、布状体の四隅を含む側部に複数縫合してなるものであることが好ましい。
【００２２】
環状部は環状ベルトを通すことにより、環状ベルトを引っ張る力が各環状部を介して布状体の各部にかかってこれを持ち上げることができる。従って、環状部は布状体の少なくとも四隅に加えて、中間部において左右にそれぞれ１対（前後両端を含めて合計６つ）設けてあることにより、布状体をその四隅と中間部において支持することができる。しかしながら、環状部は中間部において左右にそれぞれ２対（前後両端を含めて合計８つ）設けてあることにより、布状体をさらに安定的に吊り下げることができる。
【００２３】
なお、環状部の取り付け位置は前記取っ手と干渉しないように、その取付位置をずらして形成してあることが好ましく、これによって環状部と取っ手の両方によって異なる位置の布状体を引っ張り支持することができるので、より安定した搬送を行うことができる。
【００２４】
前記環状ベルトの長さは要救護者の前後に救護者が立った状態で布状体を持ち上げることができる程度の長さであることが好ましい。また、環状ベルトにはこれを通すことにより救護者の身体に当接する部分に緩衝布を備えてなる筒状の肩パットを備えることが好ましい。
【００２５】
前記布状体はその長手方向の一端側を折り返した状態で保持する折り返し保持部を備え、この布状体の折り返し部分に挿入される枕体を備える場合（請求項２）には、折り返し保持部を用いて布状体の長手方向の一端側を折り返すことにより、布状体の長さを短くすることができ、要救護者の身長に合わせて調整することができる。また、折り返し部分に枕体を挿入することにより、搬送中の要救護者の頭部を枕体によって保護することができる。
【００２６】
なお、取っ手の位置は、前記折り返し部分を折り畳んだ状態で、布状体の一端側の取っ手が一端側の別の取っ手に重なるような位置に形成してあることが好ましく、これによって、一端側の取っ手内に重ねた別の取っ手を入れて纏めた状態で布状体を引っ張り支持することができる。
【００２７】
前記折り返し保持部は布状体の重ね合わせる部分に設けた面ファスナである場合（請求項３）には、布状体の長手方向の長さ調節を極めて容易に行うことができる。
【００２８】
前記布状体の重ね合わせ部及びこの重ね合わせ部に設けた開口部からなるポケット部と、このポケット部に挿入される補強板とを備える場合（請求項４）には、補強板をポケット部に挿入することによって布状体の底面の湾曲を制限することができ、この布状体に載置される要救護者の身体が布状体によって絞られることを防止できる。
【００２９】
ポケット部の位置は布状体の任意の位置に形成することが可能であるが、布状体の他端側に設けることにより、要救護者の脚部において布状体に締付けられることを阻止できるので好ましい。
【００３０】
前記環状ベルトはその長さを調節可能とする止め具を備える場合（請求項５）には、救護者と要救護者の体型、搬送時の救護者の配置に合せて環状ベルトの長さを丁度よい長さに調整することができる。なお、止め具は例えばベルトの長さを調節可能とするバックルであることにより、容易に長さ調整することができるので好ましい。
【発明の効果】
【００３１】
前述したように、本発明によれば要救護者の前後に立っている救護者が環状部内に長手方向に移動可能な状態で挿通された環状ベルトを持ち上げることにより、布状体によって要救護者を包み込むように支持することができる。したがって、細い通路や階段などの高低差のある通路においても容易に要救護者を搬送することができる。また、救護者が要救護者の左右に立って搬送を行なうときにも環状ベルトを付け替えることなく救護者の配置を変更することも可能である。
【００３２】
布状体に折り返し保持部を設けた場合には、布状体の長さを要救護者の身長に合わせて調節することができる。布状体にポケット部を設け、このポケット部に補強板を挿入する場合には、布状体による絞り込みを防止して要救護者を保護することができる。
【図面の簡単な説明】
【００３３】
【図１】本発明の実施形態に係る担架の布状体を含む一部構成を示す図である。
【図２】前記担架の環状ベルトの構成を示す平面図である。
【図３】組み付けた状態の担架の構成を示す平面図である。
【図４】前記担架を短く調整した状態を示す平面図である。
【図５】前記担架を用いて要救護者を搬送している状態を示す図である。
【図６】前記担架を用いて要救護者を搬送している別の状態を示す図である。
【図７】従来の担架の構成を説明する図である。
【発明を実施するための形態】
【００３４】
以下、図１〜図５は本発明の実施形態を示す図であり、図１は布状体とこれに縫合される担架本体の構成を示す平面図、図２は担架の環状ベルトの構成を示す平面図、図３は担架本体に環状ベルトを組み付けた状態を示す平面図である。これらの図を用いて、本発明の実施形態にかかる担架の構成を説明する。
【００３５】
図１〜図３において、担架１は、略矩形の布状体２と、この布状体２の側部に横方向に引っ張り支持可能に取付けられた複数の取っ手３と、前記布状体２の四隅を含む側部に取付けられた複数の環状部４と、これら環状部４内を順次通すことにより布状体２の側部に沿うように長手方向に移動可能な状態で配置された環状ベルト５とを備える。
【００３６】
前記布状体２は帆布（綿や麻や亜麻等の天然繊維やビニロンやポリプロピレンなどの合成繊維を平織りして形成した厚手の布）のように可撓性を有する面によって形成されるものであり、帆布に合成樹脂で加工したターポリンなどを使うことにより、防水性や対候性を持たせることができる。布状体の大きさは一般的な成人の要救護者を包み込むことができる程度であり、本実施形態では例えば１８００ｍｍ×６００ｍｍ（少なくとも幅５００ｍｍ）の大きさの略長方形の帆布であり、その外周を折り返して縫合することによりほつれを防止すると共に、その縁部の強度を上げて張力を布状体の縁部にかけられるように構成している。
【００３７】
布状体２は、その長手方向の一端部にその裏面側の縁部に沿って縫合された第１面ファスナ１０Ａと、この第１面ファスナ１０Ａと平行になるように間隔を開けて配置させて布状体２の裏面側に縫合された第２面ファスナ１０Ｂとを備える。これら第１面ファスナ１０Ａおよび第２面ファスナ１０Ｂは折り返し保持部として機能する面ファスナ１０を構成するものであり、第一面ファスナ１０Ａが雌面ファスナ、第２面ファスナ１０Ｂが雄面ファスナである。なお、面ファスナ１０の雄雌の関係は逆であってもよい。
【００３８】
布状体２の他端側には、布状体２を二重にするように幅が同程度の別の布状体２Ａを裏面側に縫合させてなる重ね合わせ部１１を形成しており、この重ね合わせ部１１は布状体２の両側部１１Ａ，１１Ｂおよび中間部１１Ｃにおいて縫合され、布状体２の他端は縫合しないことにより開口部１２を設ける。つまり、２枚の布状体２、２Ａの間にポケット部２Ｐを形成してある。１３は開口部１２を介してポケット部２Ｐ内に挿入させた補強板である。なお、開口部１２は布状体２の他端側に設けられることに限られるものではなく、前記中間部１１Ｃにおいて縫合しないことにより形成してあってもよい。また、ポケット部２Ｐを形成する位置も布状体２の他端側のみならず中間部であっても、複数設けてあってもよい。
【００３９】
前記取っ手３は種々の構成が考えられるが、スリングベルトの材料として知られるナイロン、ポリエステル、ポリプロピレンなどの合成樹脂繊維からなるベルト材３Ａを略Ｕ字状に折り返すと共にこの折り返し部に巻付けられる巻布を縫合して握り部分１４を形成し、ベルト材３Ａの両端部３Ｂ、３Ｃを布状体２の裏面側に並べて縫合させたものであることにより、握り部分１４をつかみやすく十分な力をかけることができるので好ましい。
【００４０】
本実施形態に示すように布状体２の前後両端とその間の２箇所の左右両側に間隔を開けて８箇所の取っ手３を、左右方向に引っ張り支持可能に形成しており、これによって、布状体２の４箇所において左右方向に張力を調整してかけることにより、さらに安定した搬送を行なうことができる。
【００４１】
前記環状部４は固定することなくフリーな状態で前記環状ベルト５を挿通するものであり、布状体２の四隅を含む８点でかつ前記取っ手３とは干渉しない位置において、要救護者の体重を吊り下げるために十分な強度を備えた合成樹脂繊維からなる帯を折り畳んだ状態でその両端を布状体２の表と裏に重ね合わせるように縫合して形成されるものである。なお、環状部４の大きさは環状ベルト５を通すことができる必要十分な大きさであり、布状体２の四隅に位置する環状部４は斜め方向に取付けられることにより、張力を布状体２の中心部に対してかけることができるように構成している。
【００４２】
環状部４はそれぞれが布状体２の側部において布状体２を吊り下げるものであるから、各環状部４の取付位置はできるだけ等間隔に形成してあることが好ましい。他方、前記取っ手３の取り付け位置は救護者がつかみやすい位置で、布状体２の一端側および他端側から２つの環状部４の間に２つずつ配置されるように構成している。
【００４３】
図２，図３に示すように、前記環状ベルト５は帯状体５Ａとこの帯状体５Ａの一端部に形成されたバックル（止め具）１５と、帯状体５Ａの中間部には、救護者の身体に当接する部分にヒツジやラクダなどの動物の毛、あるいは合成繊維を薄く板状に圧縮して作る不織布（フエルト）からなる緩衝布を備えてなる複数の筒状の肩パット１６とを備える。この肩パット１６も帯状体５Ａに縫合するのではなく、自在に位置変更可能に構成してある。なお、図２には帯状体５Ａの長さを図示できる程度に短く示している。
【００４４】
図３に示すように、前記帯状体５Ａの他端部を布状体２の外周に設けた各環状部４内に順次通して、布状体２の両側部に沿うように一周させた後に、前記バックル１５に長さ調節可能に連結することにより、環状のベルトとすることができる。なお、前記肩パット１６は布状体２の前後左右の４箇所に設けてある。
【００４５】
前記構成の担架１は布状体２と帯状体５を基本とするものであるから可撓性があり、未使用時には小さく折り畳んで収容することが可能である。したがって、工場、工事現場、会館などの人が集まる場所に常備させるのに適している。
【００４６】
図４は前記面ファスナ（折り返し保持部）１０を用いて担架１の長さを短く調整した状体を示す図である。面ファスナ１０を貼り合わせるように布状体２の一端部を折り返すとともに、この折り返しによって形成された布状体２の環状部内に弾性を備えるスペーサとして袋体内に緩衝材を充填させた枕体１７を挿入可能である。また、折り返し部分をさらに表側に折り返すことにより、布状体２の一端側の２つの取っ手３を一端側から２番目の取っ手３に重ね合わせ、一方の取っ手３に他方の取っ手３を挿入するように絡ませた状態でまとめて支持できるように構成している。
【００４７】
図５は上記構成の担架１を用いて要救護者２０を矢印Ｘに示す前後方向の両側に立った２人の救護者２１，２２によって搬送している状態を示す図である。本発明の担架１は布状体２の側部に分散して設けた環状部４内にフリーな状態で環状ベルト５を挿通させているので、前後の救護者２１，２２の肩から首にかけた環状ベルト５の長さをバックル１５によって適宜調節することにより、両救護者２１，２２が環状ベルト５に張力を作用させることにより担架１を支持することができる。
【００４８】
このとき、環状ベルト５にかかった張力はこの環状ベルト５をフリーな状態で挿通させる環状部４に作用し、矢印Ｖ１に示すように布状体２の複数の点において略上方向に布状体２を引っ張り上げることができる。さらに、環状部４とは別に設けた取っ手３を救護者２１，２２が持つことにより、布状体２を任意の方向Ｖ２，Ｖ３に引っ張ることが可能となる。
【００４９】
すなわち、布状体２を吊り下げるための上方向Ｖ１の力と、布状体２を広げて、要救護者の身体に無理な力がかからないようにするための任意の方向Ｖ２，Ｖ３の力を、互いに干渉しないでかけることができる。また、布状体２に設けたポケット部２Ｐ内に補強板１３を挿入した場合には、この部分における布状体２の折り曲げを制限することが可能であるから、要救護者２０の身体が締付けられることを防止できる。
【００５０】
本発明の担架１は、要救護者２０の前後方向Ｘの両側に立った救護者２１、２２による搬送を可能としているので、とりわけ細い通路や上下移動のある階段Ｓを通って、要救護者２０を搬送することが容易となる。
【００５１】
図６は前記担架１を用いて要救護者２０を矢印Ｙに示す左右方向の両側部に立った２人の救護者２１，２２によって搬送している状態を示す図である。救護者２１，２２が布状体２の左右両側の環状ベルト５を肩から首にかけて支持することにより、環状ベルト５にかかる張力が前後方向Ｘの中間部の２つの環状部４を介して布状体２を引っ張り上げることができる。
【００５２】
他方、担架２の前後方向Ｘの両端の環状部４は環状ベルト５の張力によって前後方向の中心に向かって引っ張られるようになるが、布状体２の前後方向両端部に設けた取っ手３を救護者２１，２２がつかんで前後方向に適度に広げることにより、要救護者２０を包み込むように支持することができる。なお、環状部４に挿通させた環状ベルト５は固定されることなく、その長手方向に移動可能（フリー）に連結されていると共に、これらの環状部４とは別に設けた取っ手３が環状部４の近傍に配置されているので、各環状部４にかかる張力の方向を適宜調節できる。
【００５３】
つまり、要救護者２０を搬送する通路の広さや、階段などの上下移動の必要性に合せて、救護者２１，２２の意志によって任意のフォーメーションで搬送を継続できるので、従来の担架に比べて自由度が増す。また、救護者の肩から首にかけられた環状ベルト５は両救護者２１，２２にかかる負荷をできるだけ軽くすることができ、要救護者２０を優しく包み込む形状の保型は取っ手３を用いて行なうことができる。
【００５４】
さらに、救護者２１，２２が多数存在するときには環状ベルト５による要救護者２０の吊り下げと、取っ手３を用いた布状体２の保型を別々の救護者が行なうことも可能であり、この場合にも、各救護者による操作が互いに干渉することによる扱いにくさを感じることがない。なお、救護者が多ければ多いほど各救護者にかかる負荷を小さくすることができることはいうまでもない。
【００５５】
加えて、図４に示すように、面ファスナ１０を用いて布状体２の一端側を折り返した場合には、布状体２の長さを調整して、小柄な人や子供を搬送するのに適した大きさとすることができるだけでなく、折り返した部分に枕体１７を挿入することにより、要搬送者２０の頭部を支えることができるので、搬送時におけるストレスの軽減を図ることができる。このとき、重なった一つの取っ手３に他方の取っ手３を挿入するように絡ませることにより、折り畳んだ状態を安定させて支持することができる。
【００５６】
折り返し保持部が面ファスナ１０であるから、布状体２の伸縮切り換えを極めて容易に行なうことができ、また、金属や硬質樹脂を用いる必要が無いので、柔らかい触感を保つことができるので、要救護者２０の身体に当たることによる不快感を与えることがない。
【００５７】
上述の各実施形態において、布状体２は帆布で形成することにより熱的にも構造的にも十分な強度を備えることができると共に、可撓性を備えるものであるが、本発明は布状体２が帆布であることに限定されるものではなく、可撓性を備える布、シート、網を用いたものなど、種々の変形が考えられる。
【００５８】
前記取っ手３はベルト材３Ａに巻布を縫合した握り部分１４を設けてあることにより、救護者２１，２２がこれを持つときに手が痛くなることを防止できるように構成してある。しかしながら、取っ手３の形状も布状体２に任意の方向の力を十分に伝えることができるものであればよい。
【００５９】
同様に、前記環状部４は丈夫な帯を折り返して布状体２に縫合したものであるから、柔らかさを備えると共に環状ベルト５に加えられた張力を確実に布状体２に加えることができるが、この環状部４として布状体２に取付けられたＤ環などの環を形成したものであってもよい。
【符号の説明】
【００６０】
１  担架
２  布状体
２Ｐ  ポケット部
３  取っ手
４  環状部
５  環状ベルト
１０  折り返し保持部（面ファスナ）
１１  重ね合わせ部
１２  開口部
１３  補強板
１５  止め具
１６  肩パット
１７  枕体
２０  要救護者
２１，２２  救護者
【図１】
2019084135.tif 000003
【図２】
2019084135.tif 000004
【図３】
2019084135.tif 000005
【図４】
2019084135.tif 000006
【図５】
2019084135.tif 000007
【図６】
2019084135.tif 000008
【図７】
2019084135.tif 000009